(57)【要約】【課題】狭小の土地に設置することができる塀の設置構造を提供する。【解決手段】塀の設置構造１は、矩形平板状のプレキャストコンクリート４が塀として設置されている構造である。塀の設置構造１は、地盤ＧＲの縦穴に設けられている柱状の基礎２と、基礎２に立て付けられていて、上端にフランジ３ａを有している支柱３と、プレキャストコンクリート４の下端に固定されていて、フランジ３ａにボルトＢＯで連結されている固定具５と、を備えている。【選択図】図２
2019105080.tif 000002
【特許請求の範囲】
【請求項１】
矩形平板状のプレキャストコンクリートが塀として設置されている構造であって、
地盤の縦穴に設けられている柱状の基礎と、
前記基礎に立て付けられていて、上端に支持部を有している支柱と、
前記プレキャストコンクリートの下端に固定されていて、前記支持部にボルトで連結されている固定具と、を備えていることを特徴とする
塀の設置構造。
【請求項２】
隣地との境界線に沿って前記境界線の内側に設置されている構造であって、
前記支持部は、
前記固定具が重ねられて前記固定具が連結されている水平支持板部と、
前記水平支持板部における前記隣地側の端縁から起立して、前記プレキャストコンクリートにおける前記隣地側の面に重ねられて前記プレキャストコンクリートがボルトで連結されている垂直支持板部と、を有していることを特徴とする
請求項１に記載の塀の設置構造。
【請求項３】
地盤の縦穴に設けられている柱状の基礎に立て付けられている支柱に対し、矩形平板状のプレキャストコンクリートを塀として設置する方法であって、
前記支柱の上端に有されている支持部に、前記プレキャストコンクリートの下端に固定されている固定具をボルトで連結する工程を備えていることを特徴とする
塀の設置方法。
【請求項４】
隣地との境界線に沿って前記境界線の内側に設置する方法であって、
前記支持部は、
前記固定具が重ねられて前記固定具が連結される水平支持板部と、
前記水平支持板部における前記隣地側の端縁から起立して、前記プレキャストコンクリートにおける前記隣地側の面に重ねられて前記プレキャストコンクリートがボルトで連結される垂直支持板部と、を有していることを特徴とする
請求項３に記載の塀の設置方法。
【発明の詳細な説明】
【技術分野】
【０００１】
本発明は、塀の設置方法及び構造に関する。
【背景技術】
【０００２】
特許文献１には、Ｌ型ブロックを並べた塀が開示されている。この塀は、地盤に埋め込まれるフーチングがベタ基礎に固定されることで築造される。
【先行技術文献】
【特許文献】
【０００３】
【特許文献１】特開平１０−００１９５４号公報（図６及び図７参照）
【発明の概要】
【発明が解決しようとする課題】
【０００４】
このようなＬ型ブロックを並べた塀は、地盤に埋め込まれるフーチングが所定の幅を有しているので、狭小の土地に設置することができない。
【０００５】
本発明は、上記課題を鑑みてなされたものであり、狭小の土地に設置することができる塀の設置方法及び構造を提供することを目的とする。
【課題を解決するための手段】
【０００６】
（１）本発明は、矩形平板状のプレキャストコンクリートが塀として設置されている構造であって、地盤の縦穴に設けられている柱状の基礎と、前記基礎に立て付けられていて、上端に支持部を有している支柱と、前記プレキャストコンクリートの下端に固定されていて、前記支持部にボルトで連結されている固定具と、を備えていることを特徴とする塀の設置構造である。
【０００７】
本発明によれば、塀が柱状の基礎に支持されるので、狭小の土地に設置することができる。また、基礎に立て付けられている支柱に対して、プレキャストコンクリートの塀がボルトで固定されるので、設置作業が容易である。
【０００８】
（２）本発明はまた、隣地との境界線に沿って前記境界線の内側に設置されている構造であって、前記支持部は、前記固定具が重ねられて前記固定具が連結されている水平支持板部と、前記水平支持板部における前記隣地側の端縁から起立して、前記プレキャストコンクリートにおける前記隣地側の面に重ねられて前記プレキャストコンクリートがボルトで連結されている垂直支持板部と、を有していることを特徴とする上記（１）に記載の塀の設置構造である。
【０００９】
上記発明によれば、支柱の上端に有されている支持部が隣地側にはみ出さないので、隣地との境界線のギリギリに設置することができる。このため、例えば、境界線の隣地側に側溝が存在する場合であっても、当該側溝に沿って塀を設置することができる。
【００１０】
（３）本発明は、地盤の縦穴に設けられている柱状の基礎に立て付けられている支柱に対し、矩形平板状のプレキャストコンクリートを塀として設置する方法であって、前記支柱の上端に有されている支持部に、前記プレキャストコンクリートの下端に固定されている固定具をボルトで連結する工程を備えていることを特徴とする塀の設置方法である。
【００１１】
本発明によれば、塀が柱状の基礎に支持されるので、狭小の土地に設置することができる。また、基礎に立て付けられている支柱に対して、プレキャストコンクリートの塀がボルトで固定されるので、設置作業が容易である。
【００１２】
（４）本発明はまた、隣地との境界線に沿って前記境界線の内側に設置する方法であって、前記支持部は、前記固定具が重ねられて前記固定具が連結される水平支持板部と、前記水平支持板部における前記隣地側の端縁から起立して、前記プレキャストコンクリートにおける前記隣地側の面に重ねられて前記プレキャストコンクリートがボルトで連結される垂直支持板部と、を有していることを特徴とする上記（３）に記載の塀の設置方法である。
【００１３】
上記発明によれば、支柱の上端に有されている支持部が境界線から隣地側にはみ出さないので、隣地との境界線のギリギリに設置することができる。このため、例えば、境界線の隣地側に側溝が存在する場合であっても、当該側溝に沿って塀を設置することができる。
【発明の効果】
【００１４】
本発明の上記（１）及び（２）に記載の塀の設置構造、並びに上記（３）及び（４）に記載の塀の設置方法によれば、狭小の土地に設置することができる。
【図面の簡単な説明】
【００１５】
【図１】本発明の第１実施形態に係る塀の設置構造を示す正面図である。
【図２】図１の塀の設置構造を示す側面図である。
【図３】塀の設置方法の流れを説明するフローチャートである。
【図４】塀の設置方法を説明する図であり、（Ａ）は地盤に溝を形成した後の状態を示し、（Ｂ）は縦穴に充填材を充填した後の状態を示し、（Ｃ）は基礎に支柱を立て付けた後の状態を示し、（Ｄ）は支柱にプレキャストコンクリートを連結する前の状態を示し、（Ｅ）は溝を埋めることで塀の設置が完了した状態を示す。
【図５】本発明の第２実施形態に係る塀の設置構造を示す正面図である。
【図６】図５の塀の設置構造を示す側面図である。
【図７】本発明の第３実施形態に係る塀の設置構造を示す正面図である。
【図８】図７の塀の設置構造を示す側面図である。
【図９】図７の塀の設置構造を側方から視た断面図である。
【発明を実施するための形態】
【００１６】
以下、図面を参照して、本発明の実施形態に係る塀の設置構造１，１１，２１について詳細に説明する。図面において、矢印Ｆ１は前方を、矢印Ｂ１は後方を、矢印Ｌ１は左方を、矢印Ｒ１は右方を、矢印Ｕ１は上方を、矢印Ｄ１は下方を、それぞれ示す。
【００１７】
［第１実施形態］まず、図１及び図２を用いて、第１実施形態に係る塀の設置構造１の構成について説明する。図１は、塀の設置構造１を示す正面図である。図２は、図１の塀の設置構造１を示す側面図である。
【００１８】
図１に示す塀の設置構造１は、矩形平板状のプレキャストコンクリート４が塀として設置されている構造である。具体的に、塀の設置構造１は、複数の基礎２と、複数の支柱３と、複数のプレキャストコンクリート４と、複数の固定具５と、を備えている。
【００１９】
基礎２は、地盤ＧＲの縦穴に設けられている柱状の基礎であり、地盤ＧＲの縦穴に充填されたソイルセメント等の充填材２’が、支柱３が立て付けられた後に固化したものである。複数の基礎２は、互いに、プレキャストコンクリート４の横幅や、プレキャストコンクリート４の下端に固定されている固定具５同士の間隔に応じた間隔を空けて設けられている。
【００２０】
支柱３は、基礎２の深さに応じた長さを有している鋼管である。複数の支柱３は、複数の基礎２の各々に立て付けられ、各々がプレキャストコンクリート４を支持している。支柱３の上端には、プレキャストコンクリート４の下端に固定されている固定具５に対応している矩形平板状のフランジ（支持部）３ａが設けられている。フランジ３ａには、プレキャストコンクリート４の下端に固定されている固定具５がボルトＢＯ及びナットＮＵで連結されている。
【００２１】
プレキャストコンクリート４は、所望のサイズに切断されて用いられる。このプレキャストコンクリート４は、例えば、縦１０００ｍｍ×横１５００ｍｍ〜２０００ｍｍ×厚み１０５ｍｍの寸法を有している。プレキャストコンクリート４の下端には、左右一対の固定具５がボルトＢＯ及びナットＮＵで連結されている。
【００２２】
固定具５は、プレキャストコンクリート４の下端における左右の各々にボルトＢＯ及びナットＮＵで固定されていて、支柱３の上端に有されているフランジ３ａにボルトＢＯ及びナットＮＵで連結されている。この固定具５は、フランジ３ａ等と共に、セメント又は土砂によって埋められている。
【００２３】
具体的に、固定具５は、水平固定板部５ａと、前後一対の垂直固定板部５ｂと、を備えている。
【００２４】
水平固定板部５ａは、支柱３のフランジ３ａと略同じ矩形平板状であり、当該フランジ３ａに重ねられて当該フランジ３ａにボルトＢＯ及びナットＮＵで連結されている。
【００２５】
前後一対の垂直固定板部５ｂは、水平固定板部５ａに溶接で固定されている。これら前後一対の垂直固定板部５ｂは、プレキャストコンクリート４の正面及び背面を挟み込むようにプレキャストコンクリート４の下端に配置されていて、プレキャストコンクリート４を前後に貫通しているボルトＢＯ及びナットＮＵで、プレキャストコンクリート４に固定されている。
【００２６】
次に、図３及び図４を用いて、塀の設置方法の流れについて説明する。図３は、塀の設置方法の流れを説明するフローチャートである。図４は、塀の設置方法を説明する図である。図４（Ａ）は、地盤ＧＲに溝ＣＨを形成した後の状態を示す。図４（Ｂ）は、縦穴に充填材２’を充填した後の状態を示す。図４（Ｃ）は、基礎２に支柱３を立て付けた後の状態を示す。図４（Ｄ）は、支柱３にプレキャストコンクリート４を連結する前の状態を示す。図４（Ｅ）は、溝ＣＨを埋めることで塀の設置が完了した状態を示す。
【００２７】
図３に示すように、塀の設置方法は、第１工程Ｓ１と、第２工程Ｓ２と、第３工程Ｓ３と、第４工程Ｓ４と、第５工程Ｓ５と、を備えている。
【００２８】
図４（Ａ）に示すように、第１工程Ｓ１は、塀を設置する地盤ＧＲに溝ＣＨを形成する工程である。
【００２９】
図４（Ｂ）に示すように、第２工程Ｓ２は、溝ＣＨの中に基礎２を形成する工程である。第２工程Ｓ２では、溝ＣＨの中における互いに所定の間隔を空けた個所に縦穴を形成すると共に、当該縦穴にソイルセメント等の充填材２’を充填する。地盤ＧＲの縦穴に充填された充填材２’は、第３工程Ｓ３で支柱３が立て付けられた後に固化することで、基礎２となる。
【００３０】
図４（Ｃ）に示すように、第３工程Ｓ３は、基礎２に支柱３を立て付ける工程である。第３工程Ｓ３では、地盤ＧＲの縦穴に充填されたソイルセメント等の充填材２’が固化する前に、当該充填材２’の中に支柱３を立て付ける。
【００３１】
図４（Ｄ）に示すように、第４工程Ｓ４は、プレキャストコンクリート４を支柱３に連結する工程である。第４工程Ｓ４では、支柱３の上端に有されているフランジ３ａに、プレキャストコンクリート４の下端に固定されている固定具５をボルトＢＯ及びナットＮＵで連結する。
【００３２】
図４（Ｅ）に示すように、第５工程Ｓ５は、セメント又は土砂によって溝ＣＨを埋める工程である。以上の工程Ｓ１〜Ｓ５を経ることで、塀が設置される。
【００３３】
このように、塀の設置構造１によれば、プレキャストコンクリート４の塀が柱状の基礎２に支持されるので、狭小の土地に設置することができる。また、基礎２に立て付けられている支柱３に対して、プレキャストコンクリート４の塀がボルトＢＯで固定されるので、設置作業が容易である。
【００３４】
［第２実施形態］次に、図５及び図６を用いて、第２実施形態に係る塀の設置構造１１の構成について説明する。図５は、第２実施形態に係る塀の設置構造１１を示す正面図である。図６は、図５の塀の設置構造１１を示す側面図である。なお、第１実施形態と同様の構成、作用及び効果についての説明は適宜省略する。
【００３５】
図５及び図６に示す塀の設置構造１１は、一本の支柱３が二枚のプレキャストコンクリート４を支持している点、及び固定具５（図１及び図２参照）に代えて固定具１５を備えている点などが第１実施形態と相違する。
【００３６】
塀の設置構造１１は、複数の基礎２と、複数の支柱３と、複数のプレキャストコンクリート４と、複数の固定具１５と、を備えている。
【００３７】
基礎２及び支柱３は、二枚のプレキャストコンクリート４の継ぎ目の下方に位置する。
【００３８】
支柱３の上端には、プレキャストコンクリート４の下端に固定されている固定具１５に対応している矩形平板状のフランジ（支持部）１３が設けられている。一つのフランジ１３には、二枚のプレキャストコンクリート４の下端に固定されている固定具１５の各々がボルトＢＯ及びナットＮＵで連結されている。
【００３９】
プレキャストコンクリート４は、左右一対の固定具１５と一体に成型されている。具体的に、プレキャストコンクリート４の下端には、左右一対の固定具１５が、プレキャストコンクリート４の内部に埋め込まれている鉄筋（図示省略）への溶接によって固定されている。
【００４０】
固定具１５は、プレキャストコンクリート４の下端における左右の各々に、プレキャストコンクリート４の内部に埋め込まれている鉄筋（図示省略）への溶接によって固定されていて、支柱３の上端に有されているフランジ１３にボルトＢＯ及びナットＮＵで連結されている。この固定具５は、フランジ１３等と共に、セメント又は土砂によって埋められている。
【００４１】
具体的に、固定具１５は、水平固定板部１５ａと、垂直固定板部１５ｂと、を備えている。
【００４２】
水平固定板部１５ａは、支柱３のフランジ１３の略半分の大きさの矩形平板状であり、当該フランジ１３における左右の半分の一方の部分に重ねられて、当該フランジ１３にボルトＢＯ及びナットＮＵで連結されている。
【００４３】
垂直固定板部１５ｂは、水平固定板部１５ａに溶接で固定されている。この垂直固定板部１５ｂは、プレキャストコンクリート４に埋め込まれるようにプレキャストコンクリート４の下端に配置されていて、プレキャストコンクリート４の内部に埋め込まれている鉄筋（図示省略）への溶接によって、プレキャストコンクリート４に固定されている。
【００４４】
［第３実施形態］次に、図７、図８及び図９を用いて、第３実施形態に係る塀の設置構造２１の構成について説明する。図７は、第３実施形態に係る塀の設置構造２１を示す正面図である。図８は、図７の塀の設置構造２１を示す側面図である。図９は、図７の塀の設置構造２１を側方から視た断面図である。なお、第１実施形態又は第２実施形態と同様の構成、作用及び効果についての説明は適宜省略する。
【００４５】
図７、図８及び図９に示す塀の設置構造２１は、一本の支柱３が二枚のプレキャストコンクリート４を支持している点、及び固定具５（図１及び図２参照）に代えて固定具２５を備えている点などが第１実施形態と相違する。
【００４６】
塀の設置構造２１は、隣地との境界線ＢＤに沿って境界線ＢＤの内側に設置されている構造である。具体的に、塀の設置構造２１は、複数の基礎２と、複数の支柱３と、複数のプレキャストコンクリート４と、複数の固定具２５と、を備えている。
【００４７】
支柱３の上端には、プレキャストコンクリート４の下端に固定されている固定具２５に対応している断面Ｌ字形の支持部２３が設けられている。一つの支持部２３には、二枚のプレキャストコンクリート４の下端に固定されている固定具２５がボルトＢＯ及びナットＮＵで連結されている。
【００４８】
具体的に、支持部２３は、水平支持板部２３ａと、垂直支持板部２３ｂと、を備えている。
【００４９】
水平支持板部２３ａは、二枚のプレキャストコンクリート４の下端に固定されている固定具２５が重ねられて、当該固定具２５の各々がボルトＢＯ及びナットＮＵで連結されている。
【００５０】
垂直支持板部２３ｂは、水平支持板部２３ａにおける隣地側の端縁から起立して、プレキャストコンクリート４における隣地側の面に重ねられて、当該プレキャストコンクリート４を前後に貫通しているボルトＢＯ及びナットＮＵで、プレキャストコンクリート４が連結されている。
【００５１】
プレキャストコンクリート４は、左右一対の固定具２５と一体に成型されている。具体的に、プレキャストコンクリート４の下端には、左右一対の固定具２５が、プレキャストコンクリート４の内部に埋め込まれている鉄筋（図示省略）への溶接によって固定されている。プレキャストコンクリート４における隣地側の面には、化粧板４ａが貼り付けられている。
【００５２】
固定具２５は、プレキャストコンクリート４の下端における左右の各々に、プレキャストコンクリート４の内部に埋め込まれている鉄筋（図示省略）への溶接によって固定されていて、支柱３の上端に有されている支持具２３の水平支持板部２３ａにボルトＢＯ及びナットＮＵで連結されている。この固定具５は、支持部２３等と共に、セメント又は土砂によって埋められている。
【００５３】
具体的に、固定具２５は、水平固定板部２５ａと、垂直固定板部２５ｂと、を備えている。
【００５４】
水平固定板部２５ａは、支柱３の支持部２３における水平支持板部２３ａの略半分の大きさの矩形平板状であり、当該水平支持板部２３ａにおける左右の半分の一方の部分に重ねられて、当該水平支持板部２３ａにボルトＢＯ及びナットＮＵで連結されている。
【００５５】
垂直固定板部２５ｂは、水平固定板部２５ａに溶接で固定されている。この垂直固定板部２５ｂは、プレキャストコンクリート４に埋め込まれるようにプレキャストコンクリート４の下端に配置されていて、プレキャストコンクリート４の内部に埋め込まれている鉄筋（図示省略）への溶接によって、プレキャストコンクリート４に固定されている。
【００５６】
このように、塀の設置構造２１によれば、支柱３の上端に有されている支持部２３が境界線ＢＤから隣地にはみ出さないので、隣地との境界線ＢＤのギリギリに設置することができる。このため、境界線ＢＤの隣地側に側溝ＳＧが存在する場合であっても、当該側溝ＳＧに沿って塀を設置することができる。
【００５７】
本発明は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【符号の説明】
【００５８】
１，１１，２１  塀の設置構造
２  基礎
２’  充填材
３  支柱
３ａ，１３  フランジ（支持部）
４  プレキャストコンクリート
４ａ  化粧板
５，１５，２５  固定具
５ａ，１５ａ  水平固定板部
５ｂ，１５ｂ  垂直固定板部
２３  支持部
２３ａ  水平支持板部
２３ｂ  垂直支持板部
ＧＲ  地盤
ＢＯ  ボルト
ＮＵ  ナット
ＣＨ  溝
ＢＤ  境界線
ＳＧ  側溝
Ｆ１  前方
Ｂ１  後方
Ｌ１  左方
Ｒ１  右方
Ｕ１  上方
Ｄ１  下方
Ｓ１  第１工程
Ｓ２  第２工程
Ｓ３  第３工程
Ｓ４  第４工程
Ｓ５  第５工程
【図１】
2019105080.tif 000003
【図２】
2019105080.tif 000004
【図３】
2019105080.tif 000005
【図４】
2019105080.tif 000006
【図５】
2019105080.tif 000007
【図６】
2019105080.tif 000008
【図７】
2019105080.tif 000009
【図８】
2019105080.tif 000010
【図９】
2019105080.tif 000011
【手続補正書】
【提出日】平成30年6月14日(2018.6.14)
【手続補正１】
【補正対象書類名】特許請求の範囲
【補正対象項目名】全文
【補正方法】変更
【補正の内容】
【特許請求の範囲】
【請求項１】
矩形平板状のプレキャストコンクリートが塀として、隣地との境界線に沿って前記境界線の内側に設置されている構造であって、
地盤の縦穴に設けられている柱状の基礎と、
前記基礎に立て付けられていて、上端に支持部を有している支柱と、
前記プレキャストコンクリートの下端に固定されていて、前記支持部にボルトで連結されている固定具と、を備え、
前記支持部は、
前記固定具が重ねられて前記固定具が連結されている水平支持板部と、
前記水平支持板部における前記隣地側の端縁から起立して、前記プレキャストコンクリートにおける前記隣地側の面に重ねられて前記プレキャストコンクリートがボルトで連結されている垂直支持板部と、を有していることを特徴とする
塀の設置構造。
【請求項２】
地盤の縦穴に設けられている柱状の基礎に立て付けられている支柱に対し、矩形平板状のプレキャストコンクリートを塀として、隣地との境界線に沿って前記境界線の内側に設置する方法であって、
前記支柱の上端に有されている支持部に、前記プレキャストコンクリートの下端に固定されている固定具をボルトで連結する工程を備え、
前記支持部は、
前記固定具が重ねられて前記固定具が連結される水平支持板部と、
前記水平支持板部における前記隣地側の端縁から起立して、前記プレキャストコンクリートにおける前記隣地側の面に重ねられて前記プレキャストコンクリートがボルトで連結される垂直支持板部と、を有していることを特徴とする
塀の設置方法。
【手続補正２】
【補正対象書類名】明細書
【補正対象項目名】０００６
【補正方法】変更
【補正の内容】
【０００６】
（１）本発明は、矩形平板状のプレキャストコンクリートが塀として、隣地との境界線に沿って前記境界線の内側に設置されている構造であって、地盤の縦穴に設けられている柱状の基礎と、前記基礎に立て付けられていて、上端に支持部を有している支柱と、前記プレキャストコンクリートの下端に固定されていて、前記支持部にボルトで連結されている固定具と、を備え、前記支持部は、前記固定具が重ねられて前記固定具が連結されている水平支持板部と、前記水平支持板部における前記隣地側の端縁から起立して、前記プレキャストコンクリートにおける前記隣地側の面に重ねられて前記プレキャストコンクリートがボルトで連結されている垂直支持板部と、を有していることを特徴とする塀の設置構造である。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、支柱の上端に有されている支持部が隣地側にはみ出さないので、隣地との境界線のギリギリに設置することができる。このため、例えば、境界線の隣地側に側溝が存在する場合であっても、当該側溝に沿って塀を設置することができる。
【手続補正５】
【補正対象書類名】明細書
【補正対象項目名】００１０
【補正方法】変更
【補正の内容】
【００１０】
（２）本発明は、地盤の縦穴に設けられている柱状の基礎に立て付けられている支柱に対し、矩形平板状のプレキャストコンクリートを塀として、隣地との境界線に沿って前記境界線の内側に設置する方法であって、前記支柱の上端に有されている支持部に、前記プレキャストコンクリートの下端に固定されている固定具をボルトで連結する工程を備え、前記支持部は、前記固定具が重ねられて前記固定具が連結される水平支持板部と、前記水平支持板部における前記隣地側の端縁から起立して、前記プレキャストコンクリートにおける前記隣地側の面に重ねられて前記プレキャストコンクリートがボルトで連結される垂直支持板部と、を有していることを特徴とする塀の設置方法である。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、支柱の上端に有されている支持部が境界線から隣地側にはみ出さないので、隣地との境界線のギリギリに設置することができる。このため、例えば、境界線の隣地側に側溝が存在する場合であっても、当該側溝に沿って塀を設置することができる。
【手続補正８】
【補正対象書類名】明細書
【補正対象項目名】００１４
【補正方法】変更
【補正の内容】
【００１４】
本発明の上記（１）に記載の塀の設置構造、及び上記（２）に記載の塀の設置方法によれば、狭小の土地に設置することができる。
【手続補正９】
【補正対象書類名】明細書
【補正対象項目名】００１５
【補正方法】変更
【補正の内容】
【００１５】
【図１】第１参考形態に係る塀の設置構造を示す正面図である。
【図２】図１の塀の設置構造を示す側面図である。
【図３】塀の設置方法の流れを説明するフローチャートである。
【図４】塀の設置方法を説明する図であり、（Ａ）は地盤に溝を形成した後の状態を示し、（Ｂ）は縦穴に充填材を充填した後の状態を示し、（Ｃ）は基礎に支柱を立て付けた後の状態を示し、（Ｄ）は支柱にプレキャストコンクリートを連結する前の状態を示し、（Ｅ）は溝を埋めることで塀の設置が完了した状態を示す。
【図５】第２参考形態に係る塀の設置構造を示す正面図である。
【図６】図５の塀の設置構造を示す側面図である。
【図７】本発明の実施形態に係る塀の設置構造を示す正面図である。
【図８】図７の塀の設置構造を示す側面図である。
【図９】図７の塀の設置構造を側方から視た断面図である。
【手続補正１０】
【補正対象書類名】明細書
【補正対象項目名】００１６
【補正方法】変更
【補正の内容】
【００１６】
以下、図面を参照して、参考形態に係る塀の設置構造１，１１、及び本発明の実施形態に係る塀の設置構造２１について詳細に説明する。図面において、矢印Ｆ１は前方を、矢印Ｂ１は後方を、矢印Ｌ１は左方を、矢印Ｒ１は右方を、矢印Ｕ１は上方を、矢印Ｄ１は下方を、それぞれ示す。
【手続補正１１】
【補正対象書類名】明細書
【補正対象項目名】００１７
【補正方法】変更
【補正の内容】
【００１７】
［第１参考形態］まず、図１及び図２を用いて、第１参考形態に係る塀の設置構造１の構成について説明する。図１は、塀の設置構造１を示す正面図である。図２は、図１の塀の設置構造１を示す側面図である。
【手続補正１２】
【補正対象書類名】明細書
【補正対象項目名】００３４
【補正方法】変更
【補正の内容】
【００３４】
［第２参考形態］次に、図５及び図６を用いて、第２参考形態に係る塀の設置構造１１の構成について説明する。図５は、第２参考形態に係る塀の設置構造１１を示す正面図である。図６は、図５の塀の設置構造１１を示す側面図である。なお、第１参考形態と同様の構成、作用及び効果についての説明は適宜省略する。
【手続補正１３】
【補正対象書類名】明細書
【補正対象項目名】００３５
【補正方法】変更
【補正の内容】
【００３５】
図５及び図６に示す塀の設置構造１１は、一本の支柱３が二枚のプレキャストコンクリート４を支持している点、及び固定具５（図１及び図２参照）に代えて固定具１５を備えている点などが第１参考形態と相違する。
【手続補正１４】
【補正対象書類名】明細書
【補正対象項目名】００４４
【補正方法】変更
【補正の内容】
【００４４】
［本発明の実施形態］次に、図７、図８及び図９を用いて、本発明の実施形態に係る塀の設置構造２１の構成について説明する。図７は、本発明の実施形態に係る塀の設置構造２１を示す正面図である。図８は、図７の塀の設置構造２１を示す側面図である。図９は、図７の塀の設置構造２１を側方から視た断面図である。なお、第１参考形態又は第２参考形態と同様の構成、作用及び効果についての説明は適宜省略する。
【手続補正１５】
【補正対象書類名】明細書
【補正対象項目名】００４５
【補正方法】変更
【補正の内容】
【００４５】
図７、図８及び図９に示す塀の設置構造２１は、一本の支柱３が二枚のプレキャストコンクリート４を支持している点、及び固定具５（図１及び図２参照）に代えて固定具２５を備えている点などが第１参考形態と相違する。